(57)【要約】      （修正有）【課題】鼻パット部のずり下がりが防止され、さらに、鼻の左右両側面に鼻パット部の挟持跡が残らず、衝撃に対して吸収ないし緩和できる眼鏡の鼻パッドを提供する。【解決手段】一対のメガネ枠４の内側部に設けられる鼻パッド保持部１０と、この鼻パッド保持部１０に接続される鼻パッド部２０とを備えて眼鏡の鼻パッドを形成する。さらに、鼻パッド部２０は、シリコーン樹脂等のプラスチック素材又は弾性素材で形成され、鼻の左右側部に接触される本体部２１の一部には、鼻パッド保持部１０が嵌挿される嵌合穴２２が形成されており、鼻パッド部の嵌合穴２２に鼻パッド保持部１０を嵌挿することにより、鼻パッド部２０が鼻パッド保持部１０を回動中心として回動自在に構成する。【選択図】図１
0003174805.tif 000002
【実用新案登録請求の範囲】
【請求項１】
一対のメガネ枠の内側部または一対のメガネ枠間のブリッジに設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、少なくとも鼻の左右側部に接触される本体部の一部には、前記鼻パッド保持部が嵌挿される嵌合穴が形成されており、
前記鼻パッド部の嵌合穴に鼻パッド保持部を嵌挿することにより、該鼻パッド部が鼻パッド保持部を回動中心として回動自在としてあることを特徴とする眼鏡の鼻パッド。
【請求項２】
前記一対のメガネ枠の内側部に設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成されており、
前記鼻パッド部の嵌合穴に鼻パッド保持部を嵌挿することにより、該鼻パッド部が鼻パッド保持部を回動中心として回動自在としてあることを特徴とする眼鏡の鼻パッド。
【請求項３】
前記一対のメガネ枠の内側部に設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成され、さらに前記本体部同士間にはアーチ形の架橋部が一体に形成されており、
前記鼻パッド部の嵌合穴に鼻パッド保持部を嵌挿することにより、該鼻パッド部が鼻パッド保持部を回動中心として回動自在としてあり、前記鼻パッド部の本体部は鼻の左右側部に接触され、前記アーチ形の架橋部は鼻の上部に接触するようにしてあることを特徴とする眼鏡の鼻パッド。
【請求項４】
前記鼻パッド保持部は、一対のメガネ枠間のブリッジに設けられていることを特徴とする請求項１に記載の眼鏡の鼻パッド。
【請求項５】
一対のメガネ枠間のブリッジに設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成されており、
前記鼻パッド部の嵌合穴に鼻パッド保持部を嵌挿することにより、該鼻パッド部が鼻パッド保持部を回動中心として回動自在としてあることを特徴とする眼鏡の鼻パッド。
【請求項６】
一対のメガネ枠間のブリッジに設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成され、さらに前記本体部同士間にはアーチ形の架橋部が一体に形成されており、
前記鼻パッド部の嵌合穴に鼻パッド保持部を嵌挿することにより、該鼻パッド部が鼻パッド保持部を回動中心として回動自在としてあり、前記鼻パッド部の本体部は鼻の左右側部に接触され、前記アーチ形の架橋部は鼻の上部に接触するようにしてあることを特徴とする眼鏡の鼻パッド。
【請求項７】
前記鼻パッド保持部には、シリコーン樹脂等のプラスチック素材からなるチューブが嵌装してあることを特徴とする請求項１〜６のいずれかに記載の眼鏡の鼻パッド。
【考案の詳細な説明】
【技術分野】
【０００１】
本考案は、遠視、近視、乱視、老眼どの視力矯正用眼鏡、サングラス、双眼式拡大鏡等のあらゆる眼鏡に使用される眼鏡の鼻パッドに関する。
【背景技術】
【０００２】
この種の鼻パッドには色々な構成のものがあるが、従来から使用されている一般的な鼻パッドは、左右一対のメガネ枠の裏側に溶接やろう付け等により固着した鼻パッド保持部と、この鼻パッド保持部にネジにより止着された平板状で硬質性合成樹脂製の鼻パッド部とからなっている。そして、前記左右の鼻パッド部が、装着者の鼻の左右両側面に接触し挟持するようにして使用されるものである。
【０００３】
上記従来の鼻パッドでは、（ａ）眼鏡販売店において、眼鏡購入者の鼻の形状や高さにフィットするように、鼻パッド保持部に対して鼻パッド部の角度や位置等を調節しながら、ネジ止めする面倒な調節作業が必要であるばかりか、調節作業に時間がかかるという問題があった。
【０００４】
また、（ｂ）鼻パッド部が、鼻汗や長時間の装着によりずり下がって眼鏡がずり落ちるという問題もあった。
【０００５】
さらに、（ｃ）上記従来の鼻パッド部は平板状で硬質性合成樹脂製であるため、眼鏡の長時間の使用により、鼻の左右両側面に鼻パッド部の挟持跡が残るという難点もあった。
【０００６】
上記（ｂ）の眼鏡のずり落ちを解消するため、特開２００１−２０９０１０号公報（特許文献１）に記載のメガネ用鼻パッドが提案されている。なお、特許文献１・２では、「鼻パッド」のことを「鼻パット」と称しているが同一意味であり、本明細書では必要に応じて両方を使用している。
【０００７】
この特許文献１のメガネ用鼻パッドは、同文献１の特許請求の範囲及び図１〜図３に記載に基づいて説明すると、フレーム（眼鏡枠）（２）、（２）に台座（４）、（４）を設け、調節棒（６）、（６）の先端に鼻パット（８）、（８）を設け、下端に爪（５）、（５）を設けて、爪（５）、（５）で台座（４）、（４）に固定するものである。そして、これを使用する時は、使用者に仮止め状態で試着させ、鼻パット（８）、（８）が鼻梁の側面に位置する場所を見つけて、爪（５）、（５）の側面を強く締め付けて固定し、さらに調節棒（６）、（６）、鼻パット（８）、（８）、つる（９）、（９）で微調整する。これにより、各人の鼻に合わせて、鼻パットの位置を変更することでメガネのずり落ちを解消しようとしたものである。
【０００８】
また、上記（ｂ）のメガネのずり落ちや、鼻孔への圧迫感、不快感を解消するため、特開２００６−２０１２４８号公報（特許文献２）に記載のメガネのアーチ型ソフトパットが提案されている。
【０００９】
この特許文献２のメガネのアーチ型ソフトパットは、一般的なメガネフレーム（１）の左右に鼻パット取り付け部（２）を有する取り付け部付きメガネフレームにおいて、鼻の上を跨ぐアーチ部が、パットの役目をすることを特徴とするアーチ型ソフトパット（３）であり、パット（３）の材質は軟質のゴム材や軟質プラスチック材などの各種材料を成形加工して作られ、支持体（５）は記憶合金やアルミ合金や金など各種金属製の棒状体を成形加工したものである。
【先行技術文献】
【特許文献】
【００１０】
【特許文献１】特開２００１−２０９０１０号公報
【特許文献２】特開２００６−２０１２４８号公報
【考案の概要】
【考案が解決しようとする課題】
【００１１】
しかしながら、前記特許文献１のメガネ用鼻パッドは、従来の鼻パッドの有する上記（ａ）、（ｃ）の問題を解消することができない。すなわち、この特許文献１のものでは、眼鏡販売店において、装着者に対し、鼻パット（８）が鼻の両側面にフィットする位置を見つけて、調節棒（６）の一端に形成した爪（５）を、フレーム（２）に設けた台座（４）を跨ぐように被せ、爪（５）を強く締め付けて固定する。そして、調節棒（６）の他端に鼻パット（８）をネジ（７）で固定するものであるから、それらの面倒な調節作業が必要である上に、調節作業に時間がかかる欠点があった。また、特許文献１の鼻パットは、周知の平板状で硬質性合成樹脂製であるため、眼鏡の長時間の使用により、鼻の左右両側面に鼻パッド部の挟持跡が残るという難点もあった。さらに、特許文献１では、調節棒やネジや鼻パットの他に台座を必要とするため、構成部品が多くなると共に、構造が複雑で組付け作業が複雑になる欠点があった。
【００１２】
特許文献２のメガネのアーチ型ソフトパットは、軟質材で形成されているため、鼻の上部は接触して固定されているものの、平面視で略三角形状の鼻の左右に対しては固定が困難であり、実際には該アーチ型ソフトパットのずり落ちを防止することはできなかった。
【００１３】
上記欠点を解消するため、アーチ型ソフトパット内に金属製で棒状の支持体を嵌挿させる構造を採用しているが、これによっても鼻の左右両側部を固定することは困難であると思われる。
【００１４】
その上、前記金属製で棒状の支持体の余分な構成部品が必要であると共に、それによる調節作業も必要であった。
【００１５】
本考案は、上記従来の問題を解消するために日夜研究の結果、案出したものであって、各装着者（使用者）の鼻の形状や高さの差異に対応して、眼鏡販売店において前記従来例のように、面倒な調節作業を必要とせず、鼻パット部自体で自動的に又は装着者（使用者）で簡単に調節できる。また、鼻パット部をプラスチック素材又は弾性素材で形成して、少なくとも鼻の左右側部に接触保持させる構成としているため、鼻パット部のずり下がりが防止され、眼鏡のずり落ちが確実に防止できる。さらに、鼻の左右両側面に鼻パット部の挟持跡が残らず、衝撃に対して吸収ないし緩和する等の利点を有する眼鏡の鼻パッドを提供することを目的とする。
【課題を解決するための手段】
【００１６】
上記目的を達成するため、本考案の請求項１の眼鏡の鼻パッドは、一対のメガネ枠の内側部または一対のメガネ枠間のブリッジに設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、少なくとも鼻の左右側部に接触される本体部の一部には、前記鼻パッド保持部が嵌挿される嵌合穴が形成されており、前記鼻パッド部の嵌合穴に鼻パッド保持部を嵌挿することにより、該鼻パッド部が鼻パッド保持部を回動中心として回動自在としてあることを特徴とする。
【００１７】
請求項２の眼鏡の鼻パッドは、前記一対のメガネ枠の内側部に設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成されており、前記鼻パッド部の嵌合穴に鼻パッド保持部を嵌挿することにより、該鼻パッド部が鼻パッド保持部を回動中心として回動自在としてあることを特徴とする。
【００１８】
請求項３の眼鏡の鼻パッドは、前記一対のメガネ枠の内側部に設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成され、さらに前記本体部同士間にはアーチ形の架橋部が一体に形成されており、前記鼻パッド部の嵌合穴に鼻パッド保持部を嵌挿することにより、該鼻パッド部が鼻パッド保持部を回動中心として回動自在としてあり、前記鼻パッド部の本体部は鼻の左右側部に接触され、前記アーチ形の架橋部は鼻の上部に接触するようにしてあることを特徴とする。
【００１９】
請求項４の眼鏡の鼻パッドは、前記請求項１において、前記鼻パッド保持部は、一対のメガネ枠間のブリッジに設けられていることを特徴とする。
【００２０】
請求項５の眼鏡の鼻パッドは、一対のメガネ枠間のブリッジに設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成されており、前記鼻パッド部の嵌合穴に鼻パッド保持部を嵌挿することにより、該鼻パッド部が鼻パッド保持部を回動中心として回動自在としてあることを特徴とする。
【００２１】
請求項６の眼鏡の鼻パッドは、一対のメガネ枠間のブリッジに設けられる鼻パッド保持部と、この鼻パッド保持部に接続される鼻パッド部とを備えた眼鏡の鼻パッドにおいて、
前記鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成されて、さらに前記本体部同士間にはアーチ形の架橋部が一体に形成されており、前記鼻パッド部の嵌合穴に鼻パッド保持部を嵌挿することにより、該鼻パッド部が鼻パッド保持部を回動中心として回動自在としてあり、前記鼻パッド部の本体部は鼻の左右側部に接触され、前記アーチ形の架橋部は鼻の上部に接触するようにしてあることを特徴とする。
【００２２】
請求項７の眼鏡の鼻パッドは、請求項１〜６のいずれかにおいて、前記鼻パッド保持部には、シリコーン樹脂等のプラスチック素材からなるチューブが嵌装してあるを特徴とする。
【考案の効果】
【００２３】
本考案の請求項１の眼鏡の鼻パッドによれば、鼻パッド部は、シリコーン樹脂等のプラスチック素材又は弾性素材で形成されていると共に、少なくとも鼻の左右側部に接触される本体部の一部には、前記鼻パッド保持部が嵌挿される嵌合穴が形成されており、前記鼻パッド部の嵌合穴に鼻パッド保持部を嵌挿することにより、該鼻パッド部が鼻パッド保持部を回動中心として回動自在としてあることから、各装着者の鼻の形状や高さの差異に対応して、眼鏡販売店において前記従来例のように、面倒な調節作業を必要とせず、鼻パッド部自体で自動的に又は装着者（使用者）で簡単に調節できる。また、鼻パッド部をプラスチック素材又は弾性素材で形成して、少なくとも鼻の左右側部に接触保持させる構成としているため、鼻パッド部のずり下がりが防止され、眼鏡のずり落ちが確実に防止できる。さらに、鼻の左右両側面に鼻パッド部の挟持跡が残らず、衝撃に対して吸収ないし緩和する等の効果を有する。
【００２４】
請求項２の眼鏡の鼻パッドによれば、鼻パッド保持部が一対のメガネ枠の内側部に設けられ、該鼻パッド保持部に鼻パッド部を接続して、その他の構成は請求項１のものと同様としたものであるので、前記請求項１記載のものと同様の効果を有する。
【００２５】
請求項３の眼鏡の鼻パッドによれば、前記鼻パッド保持部に接続される鼻パッド部は、シリコーン樹脂等のプラスチック素材又は弾性素材で形成されていると共に、鼻の左右側部に接触される本体部の一部には、前記鼻パッド保持部が嵌挿される嵌合穴が形成され、さらに前記本体部同士間にはアーチ形の架橋部が一体に形成されており、前記鼻パッド部の嵌合穴に鼻パッド保持部を嵌挿することにより、該鼻パッド部が鼻パッド保持部を回動中心として回動自在としてあり、前記鼻パッド部の本体部は鼻の左右側部に接触され、前記アーチ形の架橋部は鼻の上部に接触するようにしてあるから、前記請求項１記載の効果を有すると共に、鼻パッド部が、鼻の左右両側部に接触される本体部と、この本体部同士間に一体に形成された上部のアーチ形の架橋部との３面で形成されるため、鼻の左右両側部から上部にかけて囲むように接触して保持される結果、接触面積が拡大されて、鼻パッド部のずり下がりが確実に防止され、眼鏡のずり落ちが更に確実に防止される。
【００２６】
請求項４の眼鏡の鼻パッドによれば、鼻パッド保持部は、一対のメガネ枠間のブリッジに設けられていることを特徴とするが、その効果は請求項１記載の効果を有する。
【００２７】
請求項５の眼鏡の鼻パッドによれば、請求項２記載の効果と同様な効果を有する。
【００２８】
請求項６の眼鏡の鼻パッドによれば、請求項３記載の効果と同様な効果を有する。
【００２９】
請求項７の眼鏡の鼻パッドによれば、前記鼻パッド保持部には、シリコーン樹脂等のプラスチック素材からなるチューブが嵌装してあることから、このチューブの摩擦抵抗により鼻パット部が不用意に回動しない利点を有する。
【図面の簡単な説明】
【００３０】
【図１】本考案に係る眼鏡の鼻パッドの実施例１の要部背面図である。
【図２】図１で鼻パッド部を取り外して平面状とした分解斜視図である。
【図３】図１の鼻パッド部が鼻パッド保持部を中心にして外方へ回動した状態の要部背面図である。
【図４】鼻パッド保持部にチューブを嵌装した実施例２の要部背面図である。
【図５】図４のチューブに鼻パッド部を嵌装した状態を示した要部背面図である。
【図６】アーチ形の架橋部を形成した鼻パッド部を有する実施例３の要部背面図である。
【図７】図６で鼻パッド部を取り外して平面状とした分解斜視図である。
【図８】チューブを嵌装した鼻パッド保持部に鼻パッド部を嵌装した実施例４の要部背面図である。
【図９】ブリッジに設けた鼻パッド保持部に鼻パッド部を設けてなる実施例５の要部斜視図である。
【図１０】図９の鼻パッドを分解した斜視図である。
【考案を実施するための形態】
【００３１】
本考案の実施形態を添付図面に基づいて以下に説明する。
本考案に係る眼鏡の鼻パッドは、一対のメガネ枠４、４の内側部または一対のメガネ枠４、４間のブリッジ５に設けられる鼻パッド保持部１０、１０と、この鼻パッド保持部１０、１０に接続される鼻パッド部２０、２０とを備えた眼鏡の鼻パッドにおいて、前記鼻パッド部２０、２０は、シリコーン樹脂等のプラスチック素材又は弾性素材で形成されていると共に、少なくとも鼻の左右側部に接触される本体部２１、２１の一部には、前記鼻パッド保持部１０、１０が嵌挿される嵌合穴２２、２２が形成されており、前記鼻パッド部２０、２０の嵌合穴２２、２２に鼻パッド保持部１０、１０を嵌挿することにより、該鼻パッド部２０、２０が鼻パッド保持部１０、１０を回動中心として回動自在としてあることを特徴とする。
【００３２】
鼻パッド保持部１０、１０の取付位置は、図１〜図８に示すように一対のメガネ枠４、４の内側部に設けるとか、または図９〜図１０に示すように一対のメガネ枠４、４間のブリッジ５に設けても良い。
【００３３】
鼻パッド部２０、２０の形状等の具体的構成は、図１〜図３に示す実施例１や、図４〜図５に示す実施例２や、図６〜図７に示す実施例３や、図８に示す実施例４や、図９〜図１０に示す実施例５のように設けることができる。
【００３４】
また、鼻パッド部２０、２０は、好ましくは軟質性のシリコーン樹脂等のプラスチック素材で製造されるのが望ましいが、その他の軟質性のプラスチック素材又は硬質性のプラスチック素材或いはゴム等の弾性素材で製造することもできる。
【００３５】
詳しくは、以下に説明する各実施例をするとよい。
【実施例１】
【００３６】
本考案の実施例１を図１〜図３に基づいて以下に説明する。
図１は眼鏡の鼻パッド部の要部背面図、図２は図１で鼻パッド部を取り外して平面状とした分解斜視図、図３は図１の鼻パッド部が鼻パッド保持部を回動中心にして外方へ少し回動した状態の要部背面図である。
【００３７】
図１では、眼鏡１の一部分しか示されていないが、この眼鏡１は、フロント部２には左右にレンズ３、３が嵌装された一対のメガネ枠４、４と、該メガネ枠４、４の内側同士間に架設されたブリッジ５とを有し、フロント部２の両端側には、図示されていない継手部を介して耳掛け部を有するテンプルが回動自在に取り付けられている。また、フロント部２の一対のメガネ枠４、４の内側部裏側には、鼻パッド保持部１０、１０がろう付けや熱溶接や一体成形により設けられている。
なお、メガネ枠４はチタンや合金等の金属もしくはプラスチックで作られる。ブリッジ５はチタンや金属で作られる。また、鼻パッド保持部１０は、前述した金属やプラスチック等で作られる。
【００３８】
前記鼻パッド保持部１０は、一端がメガネ枠４の内側部に結合され、他端が鼻パット部２０に接続されるものであれば、特にその形状は限定されない。
この実施例１では、鼻パッド保持部１０は一端側から他端側に向けて折り曲げてフック状にしており、このフック状の鼻パッド保持１０の他端側を鼻パッド部２０に接続する構成としている。
そして、上記鼻パッド保持部１０と鼻パッド部２０とが鼻パッド６を構成する。
【００３９】
前記鼻パッド部２０は、シリコーン樹脂等の軟質性プラスチックなどのプラスチック素材で形成されていると共に、鼻の左右側部に接触される本体部２１の一部には、前記鼻パッド保持部１０が嵌挿される嵌合穴２２が形成されている。この嵌合穴２２は、図２に示すように、上端部から下部に向けて約１２ｍｍの長さで、内径が２ｍｍであり、この嵌合穴２２に、外形が２ｍｍの鼻パッド保持部１０の他端部１０ａを嵌挿するようにしている。なお、上述した各数値はこれに限定されず、適宜変更できるものである。
【００４０】
そして、左右の鼻パッド部２０、２０の嵌合穴２２、２２に鼻パッド保持部１０、１０を嵌挿することにより、該鼻パッド部２０、２０が鼻パッド保持部１０、１０を回動中心として回動自在としてある。
例えば、図１での鼻パッド部２０は鼻パッド保持部１０を回動中心として内側方向へ回動されているが、この状態から図３に示すように、該鼻パッド部２０を外側方向へ回動することができる。すなわち、この鼻パッド部２０は、鼻パッド保持部１０を回動中心として自由に回動できるもので、その回動角度は例えば１８０°以上である。
従って、眼鏡販売店で鼻パッド６を含む他の条件も満足した、本考案に係る眼鏡を購入した者は、鼻に眼鏡を装着するだけで、鼻パッド６つまり鼻パッド部２０、２０が、自身の鼻の形状や高さに適切に対応して自動的に調節される。換言すれば、眼鏡販売店での鼻パッドの調節が不要となる。また、鼻パッド部２０はシリコーン樹脂等のプラスチック素材又は弾性素材で形成されているので、前述したように、鼻パッド６のずり下がりがなく、眼鏡のずり落ちが解消され、更にその鼻パッド部２０、２０による挟持跡も残らない。
【００４１】
なお、鼻パッド部２０は、本実施例では、軟質性プラチック素材で形成されているが、硬質性プラスチック素材でもよく、又はその他の弾性素材でもよい。
【実施例２】
【００４２】
実施例２を図４と図５に基づいて以下に説明する。
この実施例２は、実施例１の変形例を示すものであって、鼻パッド保持部１０の他端部１０ａに、シリコーン樹脂等のプラスチック素材からなるチューブ３０を嵌装してなることを特徴とするものであり、その他の構成は実施例１のものと同様であるので、詳細は実施例１の説明を参照するとよい。
【００４３】
前記チューブ３０は、円筒状であって、穴の内径１ｍｍ、外径２ｍｍ、長さ約１２ｍｍであり、このチューブ３０の穴に鼻パッド保持部１０の他端部１０ａを嵌挿し（図４参照）、このチューブ３０を嵌装した鼻パッド保持部１０の他端部１０ａに対して、鼻パッド部２０の嵌合穴２２を圧入嵌合する（図５参照）。なお、チューブ３０の上記寸法の数値は限定されず、適宜変更できる。
【００４４】
このように、鼻パッド部２０がチューブ３０を介して鼻パッド保持部１０の他端部１０ａに圧入嵌合されているため、これら三者の摩擦抵抗により、鼻パッド部２０が不用意に回動されたり、ずり下がることが確実に阻止される。
この実施例２の効果は、前記実施例１の場合と同様である。
【実施例３】
【００４５】
実施例３を図６と図７に基づいて以下に説明する。
この実施例３は、実施例１で示した鼻パッド部２０の形状が異なるもので、その他の構成は実施例１のものと同様であるので、詳細は実施例１の説明を参照するとよい。
【００４６】
この実施例３の鼻パッド部２０、２０は、鼻の左右両側部に接触される本体部２１、２１のほかに、前記本体部２１、２１同士間にはアーチ形の架橋部２５が一体に形成されている。この実施例では、鼻パッド６として、シリコーン樹脂の軟質性のプラチック素材で、上記本体部２１、２１と架橋部２５とを一体成形している。
【００４７】
そして、この場合も、前記鼻パッド部２０、２０の嵌合穴２２、２２に鼻パッド保持部１０、１０を嵌挿することにより、鼻パッド部２０、２０が鼻パッド保持部１０、１０を回動中心として自由に回動自在としてある。そればかりか、この実施例３では、前記鼻パッド部２０、２０の本体部２１、２１は鼻の左右側部に接触され、前記アーチ形の架橋部２５は鼻の上部に接触するようにしてある。このような構成による作用効果は既述した通りである。
【００４８】
ここで、架橋部２５は、各装着者（使用者）の鼻の形状や高さのデータに基づいて、その形状や長さ等は決定される。
【実施例４】
【００４９】
実施例４を図８に基づいて以下に説明する。
この実施例４は、実施例３の変形例を示すものであって、鼻パッド保持部１０の他端部１０ａに、シリコーン樹脂等のプラチック素材からなるチューブ（図示せず）を嵌装してなることを特徴とするものであり、その他の構成は実施例３のものと同様であるので、詳細は図４や実施例３の説明を参照するとよい。
【実施例５】
【００５０】
実施例５を図９と図１０に基づいて以下に説明する。
この実施例５においては、鼻パッド保持部１０は、一端側に一部を屈曲した軸部１１を形成すると共に、他端側に該軸部１１の下端部と連結した二股部１２を形成し、前記軸部１１の上端部に形成した係合部１１ａを、一対のメガネ枠４、４間のブリッジ５の中央部上部に形成した係合凹部５ａに係合することにより組み付ける。
【００５１】
また、鼻パッド保持部１０の二股部１２の左脚部１２ａと右脚部１２ｂとは、図６〜図７と同様に形成された鼻パッド６（鼻パッド部２０、２０および架橋部２５を有する）の鼻パッド部２０、２０の嵌合穴２２、２２に嵌挿され、図９に示されるようにセットされる。
【００５２】
この場合も、鼻パッド６は、実施例３と同様に、鼻パッド部２０、２０の本体部２１、２１は鼻の左右側部に接触され、前記アーチ形の架橋部２５は鼻の上部に接触するように構成してある。従って、実施例３の場合と同様の作用効果を有する。
【００５３】
この実施例５の二股部１２の左・右脚部１２ａ、１２ｂに前述したチューブ３０を嵌装して、鼻パッド部２０、２０の嵌合穴２２、２２に嵌挿することもできる。
【００５４】
また、図９及び図１０で鼻パッド６のアーチ形の架橋部２５を切除して、実施例１または２のように、左右の鼻パッド部２０、２０のみを鼻パッド６とすることもできる。
さらに、この場合、鼻パッド保持部１０の二股部１２の左脚部１２ａと右脚部１２ｂとには、図４に示すようなチューブ３０を嵌装して、これを鼻パッド部２０、２０の嵌合穴２２、２２に嵌挿したものも実施することができる。
【００５５】
本考案は、以上説明した各実施例に限定されるものではなく、請求項１〜７記載の範囲内において種々の設計変更ができるものである。
【符号の説明】
【００５６】
１      眼鏡
４      メガネ枠
５      ブリッジ
５ａ    係合凹部
６      鼻パッド
１０    鼻パッド保持部
１２    二股部
２０    鼻パッド部
２１    本体部
２２    嵌合穴
２５    架橋部
３０    チューブ
【図１】
0003174805.tif 000003
【図２】
0003174805.tif 000004
【図３】
0003174805.tif 000005
【図４】
0003174805.tif 000006
【図５】
0003174805.tif 000007
【図６】
0003174805.tif 000008
【図７】
0003174805.tif 000009
【図８】
0003174805.tif 000010
【図９】
0003174805.tif 000011
【図１０】
0003174805.tif 000012